(57)【特許請求の範囲】
【請求項１】
口頸部２を起立する容器体１と、
上記口頸部２の上端面へ、筒体１２の上端に付設した外向きフランジ１３下面を係合させて、その筒体１２を容器体１内へ垂下すると共に、筒体１２下端から吸上げパイプ１７を容器体底部へ垂設し、かつ、その筒体１２の上部に外気供給孔１４を穿設したシリンダ１１と、
上記口頸部２外面に周壁２１を嵌合させ、かつ該周壁上端に付設した内向きフランジ状頂壁２２下面と上記口頸部２上端面とで上記外向きフランジ１３を挟持させた装着筒２０と、
上記シリンダ１１の筒体１２下部内面へ、弾性圧搾可能な蛇腹状筒３２の下端部を水密に嵌着させて、該蛇腹状筒を上記筒体１２内面との間に間隙３１を設けて起立すると共に、その蛇腹状筒３２の上部外面に基筒部３４の下半を凹凸の嵌合手段で抜け出し不能に嵌合させ、また、該基筒部下端から下部筒３６を垂設し、かつ該下部筒の下端に付設した筒状ピストン３７を上記シリンダ筒体１２の上部内面に嵌合させて上記外気供給孔１４を閉塞し、更に、上記基筒部３４の上部外面に、ノズル３９付きヘッド４０から垂設したステム４１を嵌着させた操作部材３０と、
上記シリンダ１１の底部に形成した吸込み弁５０と、
上記蛇腹状筒３２の上端に内向きフランジ状の吐出弁座４３を付設し、また、上記基筒部３４の内面中間部から、該基筒部の内壁面に沿って周方向へ円弧状の弾性帯部４５を複数突設し、かつ、これ等弾性帯部の各先端を弁板４４へ一体に結合し、該弁板を上記吐出弁座４３へ着座させてなる吐出弁４２とからなり、
上記下部筒３６外面に、ヘッド４０を介して筒状ピストン３７を押下げることで外気供給孔１４と連通する外気流入路を形成したことを特徴とする液体注出容器。
【請求項２】
口頸部２を起立する容器体１と、
上記口頸部２の上端面へ、筒体１２の上端に付設した外向きフランジ１３下面を係合させて、その筒体１２を容器体１内へ垂下すると共に、筒体１２下端から内向きフランジ状底壁１５を介して吸上げパイプ１７を容器体底部へ垂設し、また、上記内向きフランジ状底壁１５の上面外周部に複数の起立突条７０を、かつ筒体１２の下端部内面に複数の縦突条７１を、それぞれ付設し、更に、その筒体１２の上部に外気供給孔１４を穿設したシリンダ１１と、
上記口頸部２外面に周壁２１を嵌合させ、かつ該周壁上端に付設した内向きフランジ状頂壁２２下面と上記口頸部２上端面とで上記外向きフランジ１５を挟持させた装着筒２０と、
上記シリンダ１１の起立突条７０上端面に筒部下端面を載置させ、かつ縦突条７１間で筒部の下端部外面を挟持させて、弾性圧搾可能で下端面開口の蛇腹状筒３２を上記シリンダ１１の内壁面との間に間隙３１を設けて起立させ、また、その蛇腹状筒３２の上部外面に基筒部３４の下半を凹凸の嵌合手段で抜け出し不能に嵌合させ、更に、該基筒部下端から下部筒３６を垂設し、かつ該下部筒の下端に付設した筒状ピストン３７を上記シリンダ筒体１２の上部内面に嵌合させて上記外気供給孔１４を閉塞し、更に、上記基筒部３４の上部外面に、ノズル３９付きヘッド４０から垂設したステム４１を嵌着させた操作部材３０と、
上記シリンダ１１の底部に形成した吸込み弁５０と、
上記蛇腹状筒３２の上端に内向きフランジ状の吐出弁座４３を付設し、また、上記基筒部３４の内面中間部から、該基筒部の内壁面に沿って周方向へ円弧状の弾性帯部４５を複数突設し、かつ、これ等弾性帯部の各先端を弁板４４へ一体に結合し、該弁板を上記吐出弁座４３へ着座させてなる吐出弁４２とからなり、
上記下部筒３６外面に、ヘッド４０を介して筒状ピストン３７を押下げることで外気供給孔１４と連通する外気流入路を形成したことを特徴とする液体注出容器。
【請求項３】
装着筒２０の内向きフランジ状頂壁２２上面とヘッド４０下面との間に、筒壁の一部を切除した筒状ストッパー６０を強制引き抜き可能に嵌入させた請求項１または請求項２記載の液体注出容器。
【発明の詳細な説明】
【０００１】
【発明の属する技術分野】
本発明は、容器内へ垂下されたシリンダ内から上方へ付勢されて起立する操作部材の上下動により、容器体内液体を吸上げ、圧搾部材上端のノズルから注出するよう形成した液体注出容器に係る。
【０００２】
【従来の技術】
例えば、実開昭６３‐８８９７１号公報の液体注出容器が知られている。
該容器は、口頸部を起立する容器体と、その口頸部に嵌合させたキャップ状部材の周壁を上方延長して該延長周壁からノズルを前方突出し、また、キャップ状部材の頂壁中央に吸込み弁を設けて、該吸込み弁から容器体内へ吸上げパイプを垂下し、更に、上記延長周壁の上端を弾性ドーム状壁で閉塞すると共に、ノズル基端開口部に吐出弁を設けたもので、上記弾性ドーム状壁の押下げと、その弾性ドーム状壁の弾性復元とで、上記頂壁、延長周壁および弾性ドーム状壁で形成する室内を加圧し、また負圧化させることで、容器体内液体を上記室内へ吸上げ、また該室内液体をノズルから注出できるよう設けたものである。
【０００３】
【発明が解決しようとする課題】
上記従来の液体注出容器は、弾性ドーム状壁の弾性変形とその復元とで液体注出を行うため、比較的少量の液体注出には適するものの、液体注出量を多くしたい場合には不適当であった。また、容器転倒時における液洩れ防止にも改良の余地を残し、容器体内液体減少による負圧化防止のための外気供給にも問題があった。
本発明は上記各課題を解決すると共に、吐出弁の構成を簡易化できるよう設けた。
【０００４】
【課題を解決するための手段】
第１の手段として、口頸部２を起立する容器体１と、
上記口頸部２の上端面へ、筒体１２の上端に付設した外向きフランジ１３下面を係合させて、その筒体１２を容器体１内へ垂下すると共に、筒体１２下端から吸上げパイプ１７を容器体底部へ垂設し、かつ、その筒体１２の上部に外気供給孔１４を穿設したシリンダ１１と、
上記口頸部２外面に周壁２１を嵌合させ、かつ該周壁上端に付設した内向きフランジ状頂壁２２下面と上記口頸部２上端面とで上記外向きフランジ１３を挟持させた装着筒２０と、
上記シリンダ１１の筒体１２下部内面へ、弾性圧搾可能な蛇腹状筒３２の下端部を水密に嵌着させて、該蛇腹状筒を上記筒体１２内面との間に間隙３１を設けて起立すると共に、その蛇腹状筒３２の上部外面に基筒部３４の下半を凹凸の嵌合手段で抜け出し不能に嵌合させ、また、該基筒部下端から下部筒３６を垂設し、かつ該下部筒の下端に付設した筒状ピストン３７を上記シリンダ筒体１２の上部内面に嵌合させて上記外気供給孔１４を閉塞し、更に、上記基筒部３４の上部外面に、ノズル３９付きヘッド４０から垂設したステム４１を嵌着させた操作部材３０と、
上記シリンダ１１の底部に形成した吸込み弁５０と、
上記蛇腹状筒３２の上端に内向きフランジ状の吐出弁座４３を付設し、また、上記基筒部３４の内面中間部から、該基筒部の内壁面に沿って周方向へ円弧状の弾性帯部４５を複数突設し、かつ、これ等弾性帯部の各先端を弁板４４へ一体に結合し、該弁板を上記吐出弁座４３へ着座させてなる吐出弁４２とからなり、
上記下部筒３６外面に、ヘッド４０を介して筒状ピストン３７を押下げることで外気供給孔１４と連通する外気流入路を形成した。
【０００５】
第２の手段として、口頸部２を起立する容器体１と、
上記口頸部２の上端面へ、筒体１２の上端に付設した外向きフランジ１３下面を係合させて、その筒体１２を容器体１内へ垂下すると共に、筒体１２下端から内向きフランジ状底壁１５を介して吸上げパイプ１７を容器体底部へ垂設し、また、上記内向きフランジ状底壁１５の上面外周部に複数の起立突条７０を、かつ筒体１２の下端部内面に複数の縦突条７１を、それぞれ付設し、更に、その筒体１２の上部に外気供給孔１４を穿設したシリンダ１１と、
上記口頸部２外面に周壁２１を嵌合させ、かつ該周壁上端に付設した内向きフランジ状頂壁２２下面と上記口頸部２上端面とで上記外向きフランジ１５を挟持させた装着筒２０と、
上記シリンダ１１の起立突条７０上端面に筒部下端面を載置させ、かつ縦突条７１間で筒部の下端部外面を挟持させて、弾性圧搾可能で下端面開口の蛇腹状筒３２を上記シリンダ１１の内壁面との間に間隙３１を設けて起立させ、また、その蛇腹状筒３２の上部外面に基筒部３４の下半を凹凸の嵌合手段で抜け出し不能に嵌合させ、更に、該基筒部下端から下部筒３６を垂設し、かつ該下部筒の下端に付設した筒状ピストン３７を上記シリンダ筒体１２の上部内面に嵌合させて上記外気供給孔１４を閉塞し、更に、上記基筒部３４の上部外面に、ノズル３９付きヘッド４０から垂設したステム４１を嵌着させた操作部材３０と、
上記シリンダ１１の底部に形成した吸込み弁５０と、
上記蛇腹状筒３２の上端に内向きフランジ状の吐出弁座４３を付設し、また、上記基筒部３４の内面中間部から、該基筒部の内壁面に沿って周方向へ円弧状の弾性帯部４５を複数突設し、かつ、これ等弾性帯部の各先端を弁板４４へ一体に結合し、該弁板を上記吐出弁座４３へ着座させてなる吐出弁４２とからなり、
上記下部筒３６外面に、ヘッド４０を介して筒状ピストン３７を押下げることで外気供給孔１４と連通する外気流入路を形成した。
【０００６】
第３の手段として、上記第１または第２の手段を有すると共に、装着筒２０の内向きフランジ状頂壁２２上面とヘッド４０下面との間に、筒壁の一部を切除した筒状ストッパー６０を強制引き抜き可能に嵌入させた。
【０００７】
【発明の実施の形態】
先ず、図１，図２が示す第１実施形態について説明する。
１は容器体で口頸部２を起立している。
１１はシリンダであり、該シリンダは、筒体１２の外面中間部やや上方に付設した外向きフランジ１３を、パッキングを介して容器体口頸部２の上端面へ係合させて、その外向きフランジ１３下方の筒体部分を容器体１内へ垂下している。また、上記外向きフランジ１３直ぐ下方の筒体部分には外気供給孔１４を穿設し、かつ、筒体１２下端から内向きフランジ状底壁１５を介して垂設したパイプ取付け筒１６内面へ吸上げパイプ１７の上端部を嵌着させ、更に、上記内向きフランジ状底壁１５内周縁から小径筒１８を起立している。
【０００８】
２０は装着筒であり、該装着筒は、上記容器体１の口頸部２外面に周壁２１を螺合させると共に、該周壁上端に付設した内向きフランジ状頂壁２２の上面内周部に垂直壁部２３を起立し、かつ、該垂直壁部外方の内向きフランジ状頂壁部分の下面と上記口頸部２上端面とで上記シリンダ１１の外向きフランジ１３を挟持させ、また、上記垂直壁部２３を下方へ延長形成して、該延長形成部２４を、上記外気供給孔１４上方のシリンダ筒体部分の内面へ嵌合させている。
【０００９】
３０は操作部材であり、該操作部材は、上記シリンダ１１の筒体１２下部内面へ筒部下端部を水密に嵌着させて、シリンダ１１の筒体１２内面との間に間隙３１を設けて弾性圧搾可能な蛇腹状筒３２を起立し、かつ該蛇腹状筒の外面上端に抜け止め突条３３を周設している。また、その蛇腹状筒３２の上部外面には、上半を小径とした基筒部３４の下部を嵌合させると共に、該基筒部の上部内面に周設した係合突条を上記抜け止め突条３３下面へ係止させ、かつ、その基筒部３４下端に付設した外向きフランジ状壁３５の上面へ、上記垂直壁部２３上端の内向きフランジ状頂壁部分の下面を係合させている。また、その外向きフランジ状壁３５周縁からは下部筒３６を垂設し、該下部筒下端に付設した筒状ピストン３７を上記シリンダ１１の筒体１２上部内面に嵌合させて既述外気供給孔１４を閉塞させ、更に、その下部筒３６外面と上記装着筒２０の延長形成部２４内面との間に設けた外気吸入用間隙３８によって、上記筒状ピストン３７を押下げることで既述外気供給孔１４と連通する外気吸入路を形成し、更に、上記基筒部３４の上部外面に、ノズル３９付きヘッド４０から垂設したステム４１の下部内面を嵌着させている。また更に、上記基筒部３４内中間には吐出弁４２を形成し、該吐出弁は、上記蛇腹状筒３２の上端に付設した内向きフランジ状の吐出弁座４３と、該吐出弁座へ着座させた弁板４４とで形成され、図２が示すように、上記基筒部３４の内面中間部から、該基筒部の内壁面に沿って周方向へ複数突設する円弧状の弾性帯部４５の各先端を上記弁板４４へ一体に結合させ、その弾性帯部４５を屈曲変形させることで、弁板４４が上記吐出弁座４３から離れて開弁し、かつ該状態から弾性帯部４５を弾性復元させることで、吐出弁４２を閉弁させるよう形成している。
【００１０】
５０は上記シリンダ１１の底部に形成した吸込み弁であり、該吸込み弁は、シリンダ１１の小径筒１８上端に付設した内向きフランジ状の吸込み弁座５１と、該弁座へ着座させた吸込み弁板５２とで形成され、その吸込み弁板を、既述小径筒１８外面に嵌合させた短筒の内面上端へ、上記吐出弁４２の弁板４４と同様に、円弧状の弾性帯部５３で一体に連結させ、その弾性帯部５３を屈曲変形させることで、上記吸込み弁板５２が吸込み弁座５１から離れて開弁し、かつ該状態から弾性帯部５３を弾性復元させることで、吸込み弁５０を閉弁させるよう形成している。
【００１１】
６０は筒状ストッパーであり、該筒状ストッパーは、筒壁後部を切除して拡開変形可能に形成し、かつ上記装着筒２０の内向きフランジ状頂壁２２の内周部上面とヘッド４０下面との間に強制引き抜き可能に嵌入させている。
【００１２】
６１は小蓋で、上記ノズル２９の前端部外面に嵌合させてノズル孔３９ａの前端面を閉塞し、かつ連結紐６２で上記筒状ストッパー６０と一体に結合させている。
【００１３】
上記構成において、液体を注出する際は、図１が示す状態から、小蓋６１を取り外して、装着筒２０とヘッド４０との間から筒状ストッパー６０を引き抜き、かつヘッド４０を押下げる。すると、蛇腹状筒３２が弾性圧縮され、該蛇腹状筒内の液体が吐出弁４２を通ってノズル３９から注出される。該状態からヘッド４０を解放すると、蛇腹状筒３２が弾性復元して、吐出弁４２が閉じ、かつ吸込み弁５０が開いて、容器体内液体が吸上げパイプ１７を通って蛇腹状筒３２内へ吸上げられ、また、外気供給孔１４が筒状ピストン３７によって閉塞される。液体減少による容器体内の負圧化は、液体吸入用間隙３８および外気供給孔１４を通して外気を流入させることで解消する。
【００１４】
図３は第２実施形態を示す。説明の重複を避けるため、第１実施形態との主要な相違点についてだけ説明すると、シリンダ１１の内向きフランジ状底壁１５外周部上面に複数の起立突条７０を、かつシリンダ１１の筒体１２下端部内面に複数の縦突条７１を、それぞれ付設し、その起立突条７０上端面に筒部下端面を載置させ、かつ縦突条７１間で筒部下端外面を挟持させて下端面開口の蛇腹状筒３２をシリンダ１１の内壁面との間に間隙３１を設けて起立させ、筒状ピストン３７下方の間隙部分内へも容器体内液体を吸上げ、かつ蛇腹状筒３２内へ吸上げた液体と共にノズル孔３９ａから注出できるよう形成している。
既述の各部材は、合成樹脂材でそれぞれ形成する。
【００１５】
【発明の効果】
本発明は上記構成とするものであり、請求項１記載の発明の場合は、操作部材３０の蛇腹状筒３２上端に内向きフランジ状の吐出弁座４３を付設し、また、基筒部３４の内面中間部から、該基筒部の内壁面に沿って周方向へ円弧状の弾性帯部４５を複数突設し、かつ、これ等弾性帯部の各先端を弁板４４へ一体に結合したから、弁板４４を基筒部３４、下部筒３６および筒状ピストン３７と共に一体成形することができて、製作上有利である。
【００１６】
また、シリンダ１１の底部から起立する蛇腹状筒３２の上部に、基筒部３４を介してヘッド４０から垂設したステム４１を嵌着させた操作部材３０を形成したから、その操作部材３０の操作で相当量の容器体内液体を容易に注出できると共に、操作部材３０の下部筒３６下端に付設した筒状ピストン３７をシリンダ１１の筒体１２内面へ嵌合させて、該筒体に穿設した外気供給孔１４を閉塞したから、液体中の成分が揮発する等の不都合を解消でき、かつ注出操作にともなって筒状ピストン３７を上下摺動させることで、その外気供給孔１４を開閉させるよう形成したから、外気を円滑かつ確実に流入できると共に、注出終了後、その外気吸入孔１４を確実に閉塞することができる。
【００１７】
請求項２記載の発明の場合は、操作部材３０の蛇腹状筒３２上端に内向きフランジ状の吐出弁座４３を付設し、また、基筒部３４の内面中間部から、該基筒部の内壁面に沿って周方向へ円弧状の弾性帯部４５を複数突設し、かつ、これ等弾性帯部の各先端を弁板４４へ一体に結合したから、弁板４４を基筒部３４、下部筒３６および筒状ピストン３７と共に一体成形することができて、製作上有利である。
【００１８】
また、シリンダ１１の内向きフランジ状底壁１５の上面外周部に複数の起立突条７０を、かつ筒体１２の下端部内面に複数の縦突条７１を、それぞれ付設し、その起立突条７０上端面に筒部下端面を載置させ、かつ縦突条７１間で筒部の下端部外面を挟持させて、下端面開口の蛇腹状筒３２をシリンダ１１の内壁面との間に間隙３１を設けて起立させたから、シリンダ１１内に嵌合させた筒状ピストン３７を上下摺動させることによって、該筒状ピストン下方の間隙部分内にも容器体内液体を吸上げ、かつ蛇腹状筒３２内へ吸上げた液体と共にノズル孔３９ａから注出させることができ、よって、シリンダ１１内空間を有効に利用することで、請求項１記載の発明の容器に比して注出量を容易に増大させることができる。
【００１９】
更に、操作部材３０の下部筒３６下端に付設した筒状ピストン３７をシリンダ１１の筒体１２内面へ嵌合させて、該筒体に穿設した外気供給孔１４を閉塞したから、液体中の成分が揮発する等の不都合を解消でき、かつ注出操作にともなって筒状ピストン３７を上下摺動させることで、その外気供給孔１４を開閉させるよう形成したから、外気を円滑かつ確実に流入できると共に、注出終了後、その外気吸入孔１４を確実に閉塞することができる。
【００２０】
請求項３記載の発明の場合は、上記請求項１または請求項２の効果の他、装着筒２０の内向きフランジ状頂壁２２上面とヘッド４０下面との間に、筒状ストッパー６０を強制引き抜き可能に嵌入させたから、流通過程で他物が接触してヘッド４０が押下げられ、収納液体が不用意に吐出されることを阻止できる。
【図面の簡単な説明】
【図１】本発明容器の縦断面図である。
【図２】容器一部の拡大斜視図である。
【図３】実施形態を異にして示す、縦断面図である。
【符号の説明】
１１…シリンダ  ２０…装着筒  ３０…操作部材
【図１】
0003566818.tif 000002
【図２】
0003566818.tif 000003
【図３】
0003566818.tif 000004